(57)【要約】【課題】茎葉の光合成を向上させて収量を増加させることができるとともに、ひいては畝間の雑草管理が容易になる匍匐性カンゾウの育成方法を提供する。【解決手段】畝１に根を活着させた匍匐性カンゾウの育成方法において、畝１を間に挟む畝間３に支柱４を立設するとともに、支柱４の上部間に畝１の上方を跨ぐようにして誘引用ネット５を張り、生育する匍匐性カンゾウの主枝７ａを、誘引用ネット５の開口に挿通させるとともに、主枝７ａから生長する茎葉７ｂを誘引用ネット５上に沿わせて生育させる。【選択図】図１
2018099038.tif 000002
【特許請求の範囲】
【請求項１】
畝に根を活着させた匍匐性カンゾウの育成方法において、
上記畝を間に挟む畝間に支柱を立設するとともに、上記支柱の上部間に上記畝の上方を跨ぐようにして誘引用ネットを張り、生育する上記匍匐性カンゾウの主枝を、上記誘引用ネットの開口に挿通させるとともに、当該主枝から生長する茎葉を上記誘引用ネット上に沿わせて生育させることを特徴とする匍匐性カンゾウの育成方法。
【請求項２】
上記匍匐性カンゾウの主枝および茎葉の上部に、上記誘引用ネットとの間で上記主枝および茎葉を間に挟む挟持用ネットを配置することを特徴とする請求項１に記載の匍匐性カンゾウの育成方法。
【請求項３】
上記誘引用ネットの下方に散水管を配置し、当該散水管から上記匍匐性カンゾウの上記主枝および茎葉の裏側に向けて農薬または水を散布することを特徴とする請求項１または２に記載の匍匐性カンゾウの育成方法。
【請求項４】
上記畝の上面には、マルチシートが敷設され、当該マルチシートに形成された開口に、匍匐性カンゾウが定植されていることを特徴とする請求項１ないし３のいずれか１項に記載の匍匐性カンゾウの育成方法。
【発明の詳細な説明】
【技術分野】
【０００１】
本発明は、生育に伴って茎葉が地面を這うようにして伸長する匍匐性カンゾウの育成方法に関するものである。
【背景技術】
【０００２】
カンゾウ属植物は、その根や根茎を乾燥することによって得られる甘草が肝臓障害やアレルギー等に有効であるとともに消炎作用も有するグリチルリチンを多く含有することから、治療用の内服薬や輸液等の医薬の原料として広く用いられている。また、上記グリチルリチンに加えて、ブドウ糖やショ糖も含まれるために甘味料の原料としても用いられている。
【０００３】
例えば、下記特許文献１においては、育苗用栽培容器にてカンゾウ属植物を予備栽培して所定の大きさまでカンゾウ根を生育させ、所定高さの畝に被せた水を通さないシートに栽培用孔を開け、カンゾウ根を、その上部にある茎・葉及びストロンの成長点が畝の表面より上方に位置するように、栽培用孔を通して畝に植えることにより、カンゾウ根のストロンの生育を抑制しつつ、カンゾウ属植物の根部を、水分をコントロールした畝にて生育させて根部を主に肥大化させるようにしたカンゾウ属植物の育成方法が提案されている。
【０００４】
ところで、上記カンゾウ属植物の一種として、生育に伴って主枝や茎葉が地面を這うようにして伸長する匍匐性カンゾウが知られている。
図４および図５は、予備育成用容器内等において匍匐性カンゾウの苗を発育させて定植苗とした後に、この定植苗の根を畝２０に活着させて生育させた従来の匍匐性カンゾウの育成状態を示すものである。
【０００５】
この際に、畝２０の上面には、当該畝２０の水分保持、保温および雑草防除のためのマルチシート２１が敷設されており、このマルチシート２１に形成された開口２２に、匍匐性カンゾウの定植苗が植えられている。そして、匍匐性カンゾウは、生育に伴って主枝２４ａが畝２０の上面から下方の畝間２３に沿って伸長してゆく。
【０００６】
このような従来の匍匐性カンゾウの育成方法においては、マルチシート２１の表面が日射により約７０℃程度にまで昇温するために、図５に示すように、マルチシート２１上に接する茎葉２４ｂが枯死してしまうという問題点があった。
【０００７】
また、畝間２３に伸長した主枝２４ａや茎葉２４ｂが、降雨等による土壌の跳ね返りによって汚れたり、畝間２３に生長した雑草に覆われたりして、光合成が抑制され、収穫量が減少してしまうとともに、上記畝間２３に生長した主枝２４ａおよび茎葉２４ｂが存在することによって中耕除草管理における機械操作が難しくなるという問題点もあった。
【０００８】
さらに、降雨によって畝間２３に水が溜まった際にも、茎葉２４ｂが冠水することによって光合成が阻害されるとともに、病害虫に攻撃にされ易くなり、同様に収穫量に大きな影響を及ぼすという問題点もあった。
【先行技術文献】
【特許文献】
【０００９】
【特許文献１】特許第５５６７５１１号公報
【発明の概要】
【発明が解決しようとする課題】
【００１０】
本発明は、上記事情に鑑みてなされたものであり、茎葉の光合成を向上させて収量を増加させることができるとともに、ひいては畝間の雑草管理が容易になる匍匐性カンゾウの育成方法を提供することを課題とするものである。
【課題を解決するための手段】
【００１１】
上記課題を解決するため、請求項１に記載の発明は、畝に根を活着させた匍匐性カンゾウの育成方法において、上記畝を間に挟む畝間に支柱を立設するとともに、上記支柱の上部間に上記畝の上方を跨ぐようにして誘引用ネットを張り、生育する上記匍匐性カンゾウの主枝を、上記誘引用ネットの開口に挿通させるとともに、当該主枝から生長する茎葉を上記誘引用ネット上に沿わせて生育させることを特徴とするものである。ここで、上記誘引用ネットは、紐を複数本張ってネット状に形成したものも含む。
【００１２】
請求項２に記載の発明は、請求項１に記載の発明において、上記匍匐性カンゾウの主枝および茎葉の上部に、上記誘引用ネットとの間で上記主枝および茎葉を間に挟む挟持用ネットを配置することを特徴とするものである。
【００１３】
請求項３に記載の発明は、請求項１または２に記載の発明において、上記誘引用ネットの下方に散水管を配置し、当該散水管から上記匍匐性カンゾウの上記主枝および茎葉の裏側に向けて農薬または水を散布することを特徴とするものである。
【００１４】
請求項４に記載の発明は、請求項１〜３のいずれかに記載の発明において、上記畝の上面には、マルチシートが敷設され、当該マルチシートに形成された開口に、匍匐性カンゾウが定植されていることを特徴とするものである。
【発明の効果】
【００１５】
請求項１〜４のいずれかに記載の発明によれば、自然の状態において生育に伴って地面を這うようにして伸長する匍匐性カンゾウの主枝を、上方の誘引用ネットに導いて当該誘引用ネットの開口に挿通させ、これから生長する茎葉を上記誘引用ネット上に沿わせて生育させているために、上記主枝および茎葉が降雨等による土壌の跳ね返りによって汚れたり、畝間に生長した雑草に覆われたりして、光合成が抑制されることがない。
【００１６】
また、畝間に主枝および茎葉が伸長しないために、降雨によって畝間に溜まった水への冠水や病害虫に攻撃されるといったおそれもなく、さらに主枝および茎葉が日照を受けやすい畝の上方に張設した誘引用ネット上に配置されているために、主枝および茎葉の光合成を大幅に向上させて収量を増加させることができる。
【００１７】
この際に、請求項２に記載の発明によれば、上記誘引用ネットとの間で主枝および茎葉を間に挟む挟持用ネットを配置しているために、主枝および茎葉を紐等によって誘引用ネットに拘束する手間を省くことができるとともに、強風対策としても有効に機能させることができる。
【００１８】
ところで、従来からカンゾウの栽培においては、１０ａ当たりの全作業時間のうち除草作業が約４７％、農薬散布が約２７％を占めると言われている。一方、近年においては、総合的病害虫管理（IPM）という考え方が推奨されつつある。これは、病害虫（雑草）の防除に関し、利用可能な全ての防除技術を利用し、経済性を考慮しつつ、適切な手段を組み合わせて総合的に防除手法を講じようとするものである。
【００１９】
これに対して、本願発明においては、畝間に茎葉が伸長しないために、雑草管理の観点からは中耕除草管理における機械操作が容易になることに加えて、上記IPM管理においても、雑草の草丈を上げて切除管理の回数を軽減することが可能になる。
【００２０】
さらに、請求項３に記載の発明によれば、誘引用ネットの下方に散水管を配置し、この散水管から誘引用ネット上の主枝および茎葉の裏側に向けて農薬を散布して殺虫することができるため、効率的な病害虫の防除を行うことが可能になる。また、散水管から誘引用ネット上の主枝および茎葉の裏側に向けて水を散布して除虫および虫を飛散させることもできるため、上述したＩＰＭ管理の観点からも、効率的な病害虫の防除を行うことが可能になる。
【００２１】
この結果、特に請求項４に記載の発明のように、畝の上面にマルチシートが敷設され、当該マルチシートに形成された開口に匍匐性カンゾウが定植されている場合に、高温となったマルチシート上を茎葉が伸長することによる茎葉の枯死を確実に防止することができ、顕著な効果が得られる。
【図面の簡単な説明】
【００２２】
【図１】本発明の第１の実施形態を説明するための斜視図である。
【図２】本発明の第２の実施形態を説明するための斜視図である。
【図３】本発明の第３の実施形態を説明するための斜視図である。
【図４】従来の匍匐性カンゾウの育成状態を示す斜視図である。
【図５】図４の要部の拡大図である。
【発明を実施するための形態】
【００２３】
（第１の実施形態）
以下、図面に基づいて本発明に係る匍匐性カンゾウの育成方法の第１の実施形態について説明する。
図１に示すように、この育成方法においては、先ず土壌を、間隔（３０〜８０ｃｍ程度）をおいて筋状に高く（１０〜４０ｃｍ程度）盛り上げることにより複数条の畝１を形成し、各々の畝１の上面（幅４０〜８０ｃｍ程度）から両側面にわたってマルチシート２を敷設する。
【００２４】
次いで、畝１を間に挟む畝間３に支柱４を立設し、さらに支柱４の上部間に畝１の上方を跨ぐようにして誘引用ネット５を張る。ここで、支柱４および誘引用ネット５としては、耐候性が高く、温度が上がり難く、かつ延び難い材質のものが好ましく、例えば支柱４としては、木材やプラスチックが好適であり、誘引用ネット５としては、プラスチックや紐で構成したものを用いることが好ましい。
【００２５】
これと前後して、畝１の上面に位置するマルチシート２に形成した開口６に、図示されない予備育成用容器等において匍匐性カンゾウの種を蒔いて発芽させ、所定の大きさまで生育させた苗を定植する。
【００２６】
そして、生育する匍匐性カンゾウの主枝７ａを誘引用ネット５の開口に挿通させるとともに、主枝７ａから生長する茎葉７ｂを誘引用ネット５上に沿わせて生育させる。この際に、複数箇所において主枝７ａおよび茎葉７ｂを誘引用ネット５に紐等によって固定することにより、誘引用ネット５上に安定的に、かつ太陽光を受光し易いように配置する。
【００２７】
以上の構成からなる匍匐性カンゾウの育成方法によれば、自然の状態において生育と共に地面を這うようにして伸長する匍匐性カンゾウの主枝７ａを、上方の誘引用ネット５に導いてその開口に挿通させ、これから生長する茎葉７ｂを誘引用ネット上５に沿わせて生育させているために、主枝７ａおよび茎葉７ｂが降雨等による土壌の跳ね返りによって汚れたり、畝間に生長した雑草に覆われたりして、光合成が抑制されることがない。
【００２８】
また、従来のように畝間３に主枝７ａおよび茎葉７ｂが伸長しないために、降雨によって畝間３に溜まった水への冠水や病害虫に攻撃されるといったおそれもなく、さらに主枝７ａおよび茎葉７ｂが日照を受けやすい畝１の上方に張設した誘引用ネット５上に配置されているために、主枝７ａおよび茎葉７ｂの光合成を大幅に向上させて収量を増加させることができる。
【００２９】
（第２の実施形態）
図２は、本発明の第２の実施形態を示すもので、図１に示したものと同一構成部分については、同一符号を付してその説明を簡略化する。
この匍匐性カンゾウの育成方法においては、誘引用ネット５上の匍匐性カンゾウの主枝７ａおよび茎葉７ｂの上部に、誘引用ネット５との間で主枝７ａおよび茎葉７ｂを間に挟む挟持用ネット９を配置する。
【００３０】
この結果、本実施形態の匍匐性カンゾウの育成方法によっても、第１の実施形態に示したものと同様の作用効果が得られることに加えて、さらに誘引用ネット５との間で主枝７ａおよび茎葉７ｂを間に挟む挟持用ネット９を配置しているために、主枝７ａおよび茎葉７ｂを紐等によって誘引用ネット５に拘束する手間を省くことができるとともに、強風等に対しても、安定的に主枝７ａおよび茎葉７ｂを誘引用ネット５上に配置させておくことができる。
【００３１】
（第３の実施形態）
図３は、本発明の第３の実施形態を示すもので、同様に図１および図２に示したものと同一構成部分については、同一符号を付してある。
この匍匐性カンゾウの育成方法においては、誘引用ネット５の下方に散水管１０を配置し、この散水管１０に穿設した複数の噴射口１１から誘引用ネット５上の匍匐性カンゾウの主枝７ａおよび茎葉７ｂの裏側に向けて農薬または水を散布し、主枝７ａおよび茎葉７ｂの裏側に付着した害虫を殺虫もしくは除虫し、または飛散させる。
【００３２】
したがって、この匍匐性カンゾウの育成方法によっても、第１および第２の実施形態に示したものと同様の作用効果を得ることができるとともに、さらに誘引用ネット５の下方に散水管１０を配置し、この散水管１０の噴射口１１から誘引用ネット５上の主枝７ａおよび茎葉７ｂの裏側に向けて農薬または水を散布して除虫することができるために、効率的な病害虫の防除を行うことができるといった効果も得られる。
【符号の説明】
【００３３】
１  畝
２  マルチシート
３  畝間
４  支柱
５  誘引用ネット
６  開口
７ａ  主枝
７ｂ  茎葉
【図１】
2018099038.tif 000003
【図２】
2018099038.tif 000004
【図３】
2018099038.tif 000005
【図４】
2018099038.tif 000006
【図５】
2018099038.tif 000007